(57)【要約】【課題】男性器に装着されたコンドームから容易に取り外すことができるコンドームの装着補助具及びこの装着補助具が取り付けられた装着補助具付コンドームを提供する。【解決手段】  コンドームの装着補助具は、第１及び第２基部材と、第１及び第２基部材それぞれに設けられた保持部とを備える。第１及び第２基部材は、互いに離反されることにより男性器先端部が通過するための空間を形成する。保持部は、環状に巻回されたコンドームを保持する。第１及び第２基部材は、男性器先端部が通過するときの入側を向く入側面を有し、保持部は、第１及び第２基部材それぞれの入側面に設けられる。本コンドームの装着補助具は、第１及び第２基部材が互いに離反されることによって、保持部に保持されたコンドームが半径方向に拡張し、第１及び第２基部材がそれぞれの入側面を対向させるように傾斜されることによって、コンドームが保持部から脱落するように構成されている。【選択図】図１
2018102896.tif 000002
【特許請求の範囲】
【請求項１】
互いに離反されることにより、男性器先端部が通過するための空間を形成する第１及び第２基部材と、
前記第１及び第２基部材それぞれに設けられ、環状に巻回されたコンドームを保持する保持部と
を備え、
前記第１及び第２基部材は、前記男性器先端部が通過するときの入側を向く入側面を有し、
前記保持部は、前記第１及び第２基部材それぞれの前記入側面に設けられ、
前記第１及び第２基部材が互いに離反されることによって、前記保持部に保持された前記コンドームが半径方向に拡張し、前記第１及び第２基部材がそれぞれの前記入側面を対向させるように傾斜されることによって、前記コンドームが前記保持部から脱落するように構成されている、
コンドームの装着補助具。
【請求項２】
前記保持部は、前記第１及び第２基部材の前記入側面から前記入側の方向へ延設され、前記コンドームを係止することにより保持するように構成されている、
請求項１に記載のコンドームの装着補助具。
【請求項３】
前記第１及び第２基部材のそれぞれは、半環状の欠落部を有し、前記欠落部が対向するように配置され、
前記保持部は、前記欠落部に沿って設けられている、
請求項２に記載のコンドームの装着補助具。
【請求項４】
前記欠落部は、前記第１及び第２基部材が対向する方向に交差する方向の長さが前記コンドームの自然状態における直径より長くなるように形成されている、
請求項３に記載のコンドームの装着補助具。
【請求項５】
前記第１及び第２基部材のそれぞれは、前記欠落部が設けられた面を分離可能に接合され、
前記保持部は、前記第１及び第２基部材が接合された場合に、張力が生じた状態で前記コンドームを保持するように構成されている、
請求項３又は４に記載のコンドームの装着補助具。
【請求項６】
前記第１及び第２基部材が接合された場合に前記第１及び第２基部材のそれぞれに設けられた前記欠落部が連結して開口を形成し、
前記開口の前記第１及び第２基部材が対向する方向の長さが、前記コンドームの自然状態における直径以下である、
請求項５に記載のコンドームの装着補助具。
【請求項７】
前記コンドームに巻き込まれるように巻回され、一端を引くことによって前記コンドームを展開するための帯状部材をさらに備え、
前記帯状部材の前記一端は、前記コンドームと共に脱落しないように前記保持部に取り付けられている、
請求項１乃至６の何れかに記載のコンドームの装着補助具。
【請求項８】
前記第１及び第２基部材の少なくとも何れか一方に、前記第１及び第２基部材が離反する方向に付勢する付勢部が設けられている、
請求項１乃至７の何れかに記載のコンドームの装着補助具。
【請求項９】
前記付勢部は、バネ部材で構成されている、
請求項８に記載のコンドームの装着補助具。
【請求項１０】
前記第１及び第２基部材の一方には凸部が、その他方には当該凸部に嵌合可能な凹部がそれぞれ設けられており、それらの凸部及び凹部の少なくとも何れか一方に前記付勢部が形成されている、
請求項８又は９に記載のコンドームの装着補助具。
【請求項１１】
前記凸部は、前記入側に折り曲げ可能に構成されている、
請求項１０に記載のコンドームの装着補助具。
【請求項１２】
前記凸部の前記入側と反対側に、一又は複数の溝部が形成されている、
請求項１１に記載のコンドームの装着補助具。
【請求項１３】
環状に巻回されたコンドームと、前記コンドームの装着補助具とを備える装着補助具付コンドームであって、
前記装着補助具は、
互いに離反されることにより、男性器先端部が通過するための空間を形成する第１及び第２基部材と、
前記第１及び第２基部材それぞれに設けられ、前記コンドームを保持する保持部と
を備え、
前記第１及び第２基部材は、前記男性器先端部が通過するときの入側を向く入側面を有し、
前記保持部は、前記第１及び第２基部材それぞれの前記入側面に設けられ、
前記装着補助具は、前記第１及び第２基部材が互いに離反されることによって、前記保持部に保持された前記コンドームが半径方向に拡張し、前記第１及び第２基部材がそれぞれの前記入側面を対向させるように傾斜されることによって、前記コンドームが前記保持部から脱落するように構成されている、
装着補助具付コンドーム。
【発明の詳細な説明】
【技術分野】
【０００１】
本発明は、コンドームの装着時に使用される装着補助具及びこの装着補助具が取り付けられた装着補助具付コンドームに関する。
【背景技術】
【０００２】
男性器にコンドームを装着する場合、亀頭部分における装着初期段階の作業が困難である。これは、亀頭が陰茎の他の部分に比べて太さが大きいこと、及び装着初期においてはコンドームを構成する多くの部分が環状に巻回されており、亀頭を挿入するためにこの環状部分を拡張するのに大きな力を要することに起因する。特許文献１には、男性器にコンドームを装着するための装着補助具が開示されている。特許文献１に開示された装着補助具は、環状に巻回されたコンドームを互いに枢着された２つの円弧状のバンドに保持し、各バンドから延びるレバー状のハンドルが近接されることによって、バンドを互いに離反させ、これによってコンドームを半径方向に拡張する。この装着補助具では、フック状の固定部がバンドに設けられ、この固定部によってコンドームを保持する。
【先行技術文献】
【特許文献】
【０００３】
【特許文献１】特表２０１０−５２８８０７号公報
【発明の概要】
【発明が解決しようとする課題】
【０００４】
しかしながら、上述した特許文献１に開示された装着補助具にあっては、フック状の固定部によってコンドームを強固に保持するため、男性器に装着されたコンドームから装着補助具を取り外すことが困難であるという問題がある。
【０００５】
本発明は斯かる事情に鑑みてなされたものであり、その主たる目的は、男性器に装着されたコンドームから容易に取り外すことができるコンドームの装着補助具及びこの装着補助具が取り付けられた装着補助具付コンドームを提供することにある。
【課題を解決するための手段】
【０００６】
上述した課題を解決するために、本発明の一の態様のコンドームの装着補助具は、互いに離反されることにより、男性器先端部が通過するための空間を形成する第１及び第２基部材と、前記第１及び第２基部材それぞれに設けられ、環状に巻回されたコンドームを保持する保持部とを備え、前記第１及び第２基部材は、前記男性器先端部が通過するときの入側を向く入側面を有し、前記保持部は、前記第１及び第２基部材それぞれの前記入側面に設けられ、前記第１及び第２基部材が互いに離反されることによって、前記保持部に保持された前記コンドームが半径方向に拡張し、前記第１及び第２基部材がそれぞれの前記入側面を対向させるように傾斜されることによって、前記コンドームが前記保持部から脱落するように構成されている。
【０００７】
この態様において、前記保持部は、前記第１及び第２基部材の前記入側面から前記入側の方向へ延設され、前記コンドームを係止することにより保持するように構成されていてもよい。
【０００８】
上記態様において、前記第１及び第２基部材のそれぞれは、半環状の欠落部を有し、前記欠落部が対向するように配置され、前記保持部は、前記欠落部に沿って設けられていてもよい。
【０００９】
上記態様において、前記欠落部は、前記第１及び第２基部材が対向する方向に交差する方向の長さが前記コンドームの自然状態における直径より長くなるように形成されていてもよい。
【００１０】
上記態様において、前記第１及び第２基部材のそれぞれは、前記欠落部が設けられた面を分離可能に接合され、前記保持部は、前記第１及び第２基部材が接合された場合に、張力が生じた状態で前記コンドームを保持するように構成されていてもよい。
【００１１】
上記態様において、前記装着補助具は、前記第１及び第２基部材が接合された場合に前記第１及び第２基部材のそれぞれに設けられた前記欠落部が連結して開口を形成し、前記開口の前記第１及び第２基部材が対向する方向の長さが、前記コンドームの自然状態における直径以下であってもよい。
【００１２】
上記態様において、前記装着補助具は、前記コンドームに巻き込まれるように巻回され、一端を引くことによって前記コンドームを展開するための帯状部材をさらに備え、前記帯状部材の前記一端は、前記コンドームと共に脱落しないように前記保持部に取り付けられていてもよい。
【００１３】
上記態様において、前記第１及び第２基部材の少なくとも何れか一方に、前記第１及び第２基部材が離反する方向に付勢する付勢部が設けられていてもよい。
【００１４】
上記態様において、前記付勢部は、バネ部材で構成されていてもよい。
【００１５】
上記態様において、前記第１及び第２基部材の一方には凸部が、その他方には当該凸部に嵌合可能な凹部がそれぞれ設けられており、それらの凸部及び凹部の少なくとも何れか一方に前記付勢部が形成されていてもよい。
【００１６】
上記態様において、前記凸部は、前記入側に折り曲げ可能に構成されていてもよい。
【００１７】
上記態様において、前記凸部の前記入側と反対側に、一又は複数の溝部が形成されていてもよい。
【００１８】
本発明の他の態様の装着補助具付コンドームは、環状に巻回されたコンドームと、前記コンドームの装着補助具とを備える装着補助具付コンドームであって、前記装着補助具は、互いに離反されることにより、男性器先端部が通過するための空間を形成する第１及び第２基部材と、前記第１及び第２基部材それぞれに設けられ、前記コンドームを保持する保持部とを備え、前記第１及び第２基部材は、前記男性器先端部が通過するときの入側を向く入側面を有し、前記保持部は、前記第１及び第２基部材それぞれの前記入側面に設けられ、前記装着補助具は、前記第１及び第２基部材が互いに離反されることによって、前記保持部に保持された前記コンドームが半径方向に拡張し、前記第１及び第２基部材がそれぞれの前記入側面を対向させるように傾斜されることによって、前記コンドームが前記保持部から脱落するように構成されている。
【発明の効果】
【００１９】
本発明に係るコンドームの装着補助具及び装着補助具付コンドームによれば、男性器に装着されたコンドームから装着補助具を容易に取り外すことができる。
【図面の簡単な説明】
【００２０】
【図１】実施の形態１に係るコンドームの装着補助具の構成を示す斜視図。
【図２】実施の形態１に係るコンドームの装着補助具の構成を示す斜視図。
【図３】実施の形態１に係るコンドームの装着補助具の構成を示す正面図。
【図４】実施の形態１に係るコンドームの装着補助具の構成を示す背面図。
【図５】図３におけるＡ−Ａ線による側面図。
【図６】第１及び第２基部材が互いに接合された状態の装着補助具を示す平面図。
【図７】コンドームを保持した状態の装着補助具を示す側面断面図。
【図８】装着補助具へのコンドームの取り付け方法を説明するための側面断面図。
【図９Ａ】装着補助具の使用方法を説明するための側面図。
【図９Ｂ】装着補助具の使用方法を説明するための側面断面図。
【図９Ｃ】装着補助具の使用方法を説明するための平面図。
【図９Ｄ】装着補助具の使用方法を説明するための側面断面図。
【図９Ｅ】装着補助具の使用方法を説明するための側面断面図。
【図９Ｆ】装着補助具の使用方法を説明するための側面断面図。
【図１０】実施の形態２に係るコンドームの装着補助具の構成を示す斜視図。
【図１１】実施の形態２に係るコンドームの装着補助具の構成を示す正面図。
【図１２】図１１におけるＢ−Ｂ線による断面拡大図。
【図１３】保持部の他の構成例を示す側面断面図。
【図１４】保持部のさらに他の構成例を示す側面断面図。
【発明を実施するための形態】
【００２１】
以下、本発明の好ましい実施の形態を、図面を参照しながら説明する。
【００２２】
（実施の形態１）
図１及び図２は本実施の形態に係るコンドームの装着補助具の構成を示す斜視図であり、図３はその正面図、図４はその背面図、図５は図３におけるＡ−Ａ線による矢視図（側面図）である。なお、各図において、矢印により方向を示している。コンドームを装着する男性器の根元部から先端部（亀頭）へ向かう方向を「Ｘ１方向」、これと反対方向を「Ｘ２方向」、Ｘ１方向に直交する１つの方向を「Ｙ１方向」、これと反対方向を「Ｙ２方向」、Ｘ１方向及びＹ１方向の両方に直交する１つの方向を「Ｚ１方向」、これと反対方向を「Ｚ２方向」とする。
【００２３】
装着補助具１００は、第１及び第２基部材１１，１２と、保持部２０と、帯状部材３０とを備える。第１及び第２基部材１１，１２のそれぞれは、板状をなしており、その一部に半環状の欠落部１１１，１２１を有している。欠落部１１１，１２１のそれぞれは、Ｘ２方向視（平面視）において半楕円形状をなしている。第１及び第２基部材１１，１２は互いに接合可能である。図１乃至図４においては、第１及び第２基部材１１，１２が分離した状態を示している。第１及び第２基部材１１，１２が互いに接合する面は接合面１１２，１２２とされる。欠落部１１１，１２１は、第１及び第２基部材１１，１２の接合面１１２，１２２側に設けられる。つまり、第１及び第２基部材１１，１２は、欠落部１１１，１２１が対向するように配置される。
【００２４】
図６は、第１及び第２基部材１１，１２が互いに接合された状態の装着補助具１００を示す平面図である。図６に示すように、第１及び第２基部材１１，１２が互いに接合されると、欠落部１１１，１２１が連結されて１つの楕円形の開口１１３が形成される。
【００２５】
図１乃至図５を参照する。第１及び第２基部材１１，１２の接合面１１２，１２２のそれぞれには、ピン１１５，１２５と孔１１６，１２６とが設けられている。ピン１１５，１２５は接合面１１２，１２２から突設され、孔１１６，１２６は接合面１１２，１２２におけるピン１１５，１２５と対応する位置に設けられている。さらに詳しく説明すると、接合面１１２にピン１１５が設けられ、接合面１２２におけるピン１１５と対向する位置に孔１２６が設けられる。同様に、接合面１２２にピン１２５が設けられ、接合面１１２におけるピン１２５と対向する位置に孔１１６が設けられる。第１及び第２基部材１１，１２が互いに接合されると、ピン１１５が孔１２６に、ピン１２５が孔１１６にそれぞれ嵌合する。これにより、第１及び第２基部材１１，１２が容易に互いに分離せず、接合状態が維持される。
【００２６】
装着補助具１００が使用されるとき、接合状態の第１及び第２基部材１１，１２が分離され、互いに離反される。このとき、互いに離隔した欠落部１１１，１２１によって平面視において概略矩形の通過空間１１７が形成される（図３参照）。この通過空間１１７は、使用者の男性器先端部が通過するための空間である。装着補助具１００が使用される場合、男性器がＸ１方向に装着補助具１００に対して相対移動する。したがって、Ｘ２方向が男性器先端部の通過空間１１７に対する入側、Ｘ１方向が出側となり、第１及び第２基部材１１，１２それぞれのＸ２方向を向く面（背面）が入側面１１８，１２８、Ｘ１方向を向く面（正面）が出側面１１９，１２９となる。
【００２７】
第１及び第２基部材１１，１２の入側面１１８，１２８のそれぞれに、保持部２０が１つずつ設けられる。保持部２０は、環状に巻回されたコンドームの保持に用いられる。かかる保持部２０は、第１及び第２基部材１１，１２の欠落部１１１，１２１に沿って設けられ、図５に示すように、半楕円形の欠落部１１１，１２１の径方向外側へ向かって湾曲しつつＸ２方向に延びている。さらに具体的に説明すると、保持部２０は、第１及び第２基部材１１，１２と連なる根元部分において、入側面１１８，１２８からＸ２方向に延び、先端部における接線方向がＸ２方向に対して９０°未満の角度をなす程度にまで、Ｘ２方向に向かうにしたがって上記の径方向外側に湾曲する。
【００２８】
図７は、コンドームを保持した状態の装着補助具を示す側面断面図である。上記のようにして入側面１１８，１２８から延設された保持部２０は、コンドーム２００を係止することにより保持する。保持部２０の湾曲の曲率は、コンドーム２００の巻回された部分（以下、「環状巻回部」という）２０２の表面の曲率以下とされる。それぞれの保持部２０は、欠落部１１１，１２１に沿って設けられているため、平面視において半楕円状に形成される。かかる半楕円形の保持部２０は、上記のように湾曲しているので、Ｘ２方向に向かうにしたがってその径が拡張している。かかる保持部２０の外周長は、伸縮させていない自然状態における環状巻回部２０２の内周長よりも大きい。弾性体である環状巻回部２０２が保持部２０に取り付けられると、保持部２０の中でも径が小さいＸ１方向側に移動しようとする。本実施の形態では、環状巻回部２０２が入側面１１８，１２８に接すると、それ以上Ｘ１方向側に移動できないため、この位置において環状巻回部２０２が安定して保持される。さらに、環状巻回部２０２のＸ２方向側に保持部２０が張り出しているため、コンドーム２００が容易に脱落しない。また、後述するように、装着補助具１００を使用するときには、入側面１１８，１２８が互いに対向するように第１及び第２基部材１１，１２が傾斜される。この傾斜に伴い、保持部２０の先端部における接線方向とＸ２方向とがなす角度が小さくなり、コンドーム２００が保持部２０から脱落しやすくなる。装着補助具１００の未使用時におけるコンドーム２００の脱落を抑制し、且つ、使用時におけるコンドーム２００の脱落を容易なものとするためには、未使用時における保持部２０の先端部接線方向とＸ２方向とがなす角度を０°以上９０°未満とし、さらに好ましくは３０°以上６０°以下とする。かかる角度は、保持する対象の環状巻回部２０２の弾性力に応じて適宜設定される。
【００２９】
それぞれの保持部２０は、欠落部１１１，１２１に沿って半楕円形に設けられているため、第１及び第２基部材１１，１２が接合された状態においては２つの保持部２０が楕円形に連結する。かかる保持部２０によって形成される楕円の外周長は、上述したように、自然状態における環状巻回部２０２の内周長よりも大きい。このため、保持部２０に保持されている状態のコンドーム２００には張力が生じており、当該張力によって第１及び第２基部材１１，１２が互いに引きつけられ、未使用時における第１及び第２基部材１１，１２の分離が防止される。また、保持部２０によって形成される楕円の長径、即ちＺ１方向の径は、自然状態における環状巻回部２０２の内径よりも長く、短径、即ちＹ１方向の径は、環状巻回部２０２の内径よりも短い。これにより、保持部２０はコンドーム２００をＺ１及びＺ２方向に拡張させた状態で保持する。
【００３０】
再び図１乃至図５を参照する。保持部２０には、巻回されたコンドーム２００を展開するための帯状部材３０が設けられている。帯状部材３０は、一方向に長く形成され、フィルム状の可撓性材料によって構成されたテープ状部材である。帯状部材３０の一端は、保持部２０に接着剤などによって固着される。かかる帯状部材３０は、第１及び第２基部材１１，１２それぞれの保持部２０に複数設けられる。図１乃至図５においては、第１及び第２基部材１１，１２の保持部２０それぞれに３本ずつ、合計６本の帯状部材３０が設けられているが、各保持部２０に設けられる帯状部材３０の数はこれに限られない。
【００３１】
帯状部材３０は、コンドーム２００に巻き込まれるように巻回される。ここで、装着補助具１００へのコンドームの取り付け方法を説明する。図８は、装着補助具１００へのコンドームの取り付け方法を説明するための側面断面図である。装着補助具１００にコンドーム２００を取り付ける場合、展開された状態のコンドーム２００を、互いに接合された状態の第１及び第２基部材１１，１２のＸ２方向側に配置する。このとき、コンドーム２００の軸長方向をＸ１方向とし、コンドーム２００の中心軸を、欠落部１１１，１２１によって形成された楕円の開口１１３の中心と一致させ、コンドーム２００の先端部２０１を保持部２０に近接した位置に位置づける。さらに、各帯状部材３０をコンドーム２００の外側面に沿うように延ばす。
【００３２】
帯状部材３０の長さは、展開された状態のコンドーム２００の全長と同じか、これより若干短い。かかる帯状部材３０の先端は、コンドーム２００の開口端の付近に位置づけられる。この状態で、コンドーム２００を、帯状部材３０を巻き込むようにして開口端から巻き上げる。最後まで巻回されたコンドーム２００の環状巻回部２０２を保持部２０に係止させることで、コンドーム２００の装着補助具１００への取り付けが完了する。
【００３３】
次に、装着補助具１００の使用方法について説明する。図９Ａ乃至図９Ｆは、装着補助具１００の使用方法を説明するための図である。図９Ａ、図９Ｂ、図９Ｄ乃至図９Ｆには、装着補助具１００の側面図又は側面断面図を示し、図９Ｃには、装着補助具１００の平面図を示している。まず、使用者は、装着補助具１００の第１及び第２基部材１１，１２の一方を左手で、他方を右手で把持し、入側面１１８，１２８を自身に向けた状態で、コンドーム２００の中心２０１を男性器３００の中心軸３０１に一致させる（図９Ａ参照）。
【００３４】
次に、使用者は、第１基部材１１をＹ１方向へ、第２基部材１２をＹ２方向へ移動し、第１及び第２基部材１１，１２を互いに分離させる。これにより、保持部２０に保持されたコンドーム２００がその半径方向であるＹ１及びＹ２方向へ拡張される。使用者は、男性器３００の先端部３０２の太さよりもコンドーム２００のＹ１及びＹ２方向長さが大きくなるまで、コンドーム２００を拡張させる（図９Ｂ参照）。このとき、コンドーム２００は平面視において概略矩形に引き延ばされる。互いに離隔した欠落部１１１，１２１の間に通過空間１１７が形成され、コンドーム２００の環状巻回部（外縁部分）２０２を除く内側部分（コンドーム２００の先端部２０１を含む巻回されていない一枚の部分）２０３にこの通過空間１１７が含まれる（図９Ｃ参照）。
【００３５】
使用者は、把持した第１及び第２基部材１１，１２を自身に近接するようにＸ２方向へ移動させる。これにより、男性器３００が相対的にＸ１方向へ移動し、先端部３０２が通過空間１１７を通過する。このとき、男性器３００の先端部３０２がコンドーム２００の内側部分２０３に接触し、さらにこれをＸ１方向へ押すことにより、環状巻回部２０２が保持部２０に係止されたまま回動し環状巻回部２０２の一部が展開されるか、環状巻回部２０２が回動せず内側部分２０３がＸ２方向に引き延ばされる。こうして形成されたコンドーム２００の先端側部分２０４によって、男性器３００の先端部３０２が覆われる（図９Ｄ参照）。
【００３６】
次に使用者は、第１及び第２基部材１１，１２を、それぞれの入側面１１８，１２８が互いに対向するように傾斜させる。これにより、保持部２０の先端部における接線方向とＸ２方向とがなす角度が小さくなり、当該角度が概略０°になると、コンドーム２００の環状巻回部２０２が保持部２０から脱落する。脱落した環状巻回部２０２はその弾性力により収縮し、男性器３００の軸部３０３に密着する。これにより、コンドーム２００の先端側部分２０４全体が、男性器３００の先端部３０２に密着する。このとき、環状巻回部２０２と共に帯状部材３０の一部の巻回が解かれ、帯状部材３０が保持部２０と環状巻回部２０２とを繋ぐように延びる（図９Ｅ参照）。
【００３７】
さらに使用者は、第１及び第２基部材１１，１２を傾斜させた状態で互いに離反させつつＸ２方向へ移動させる。これにより、帯状部材３０が引張られ、帯状部材３０と共に巻回されていた環状巻回部２０２が展開される。コンドーム２００は、展開されつつ男性器３００の陰茎を根元部へ向かって覆っていく（図９Ｆ参照）。コンドーム２００が完全に展開されると、帯状部材３０がコンドーム２００から離脱し、コンドーム２００の男性器３００への装着が完了する。
【００３８】
以上のように構成したことにより、本実施の形態に係るコンドームの装着補助具１００にあっては、第１及び第２基部材１１，１２を互いに離反させ、通過空間１１７に男性器３００の先端部３０２を通過させ、入側面１１８，１２８を向き合わせるように傾斜させることで、コンドーム２００から容易に取り外し、且つ、男性器３００の先端部３０２に容易にコンドーム２００を装着できる。さらに、第１及び第２基部材１１，１２を互いに離反させつつ使用者に近接する方向へ移動させることで、コンドーム２００を展開し、容易に男性器３００に装着できる。
【００３９】
また、第１及び第２基部材１１，１２に半環状の欠落部１１１，１２１を設けたことで、男性器３００の通過空間１１７を広く規定できる。また、欠落部１１１，１２１のＺ１及びＺ２方向の長さが、コンドーム２００の環状巻回部２０２の直径よりも長いため、コンドーム２００をＺ１及びＺ２方向に拡張させた状態で保持でき、この状態で第１及び第２基部材１１，１２を離反させることによってコンドーム２００をＹ１及びＹ２方向にも拡張させることができる。これにより、コンドーム２００の開口部が広くなり、男性器３００の先端部３０２にコンドーム２００を容易に装着できる。また、欠落部１１１，１２１が連結したときに形成される楕円形の開口１１３の短径をコンドーム２００の直径以下としたため、未使用状態のコンドーム２００に過大な張力が生じることによる劣化を抑制できる。
【００４０】
（実施の形態２）
実施の形態１では、上述したように、使用者が、第１及び第２基部材１１，１２を離反させてコンドーム２００を拡張させた後に、自身に近接するようにＸ２方向へ移動させて男性器３００の先端部３０２にコンドーム２００を接触させることにより、その先端部３０２をコンドーム２００の先端側部分２０４によって容易に覆うことができる。但し、コンドーム２００の収縮力によっては、第１及び第２基部材１１，１２を離反させたり、その離反させた状態を維持したりするために、相当程度の力が必要になる場合がある。また、実施の形態１では、その後に、第１及び第２基部材１１，１２を、それぞれの入側面１１８，１２８が互いに対向するように傾斜させることによってコンドーム２００の環状巻回部２０２が保持部２０から脱落するが、コンドーム２００の先端側部分２０４により男性器３００の先端部３０２が十分に覆われる前に環状巻回部２０２が保持部２０から脱落してしまい、コンドーム２００を正常に装着することができないという事態を招くおそれもある。実施の形態２は、これらの点に対応可能な構成となっている。以下、実施の形態２の構成について説明するが、実施の形態１の場合と同様の構成については、同一符号を付して説明を省略する。
【００４１】
図１０は実施の形態２に係るコンドームの装着補助具の構成を示す斜視図であり、図１１はその正面図、図１２は図１１におけるＢ−Ｂ線による矢視拡大図（断面拡大図）である。これらの図１０乃至図１３に示すように、実施の形態２の装着補助具４００において、第１及び第２基部材１１，１２の接合面１１２，１２２のそれぞれには、凸部２１５，２２５と凹部２１６，２２６とが設けられている。凸部２１５，２２５は接合面１１２，１２２から突設され、凹部２１６，２２６は接合面１１２，１２２における凸部２１５，２２５と対応する位置に設けられている。さらに詳しく説明すると、接合面１１２に凸部２１５が設けられ、接合面１２２における凸部２１５と対向する位置に凹部２２６が設けられる。同様に、接合面１２２に凸部２２５が設けられ、接合面１１２における凸部２２５と対向する位置に凹部２１６が設けられる。凸部２１５，２２５は直方体形状をなしており、凹部２１６，２２６は凸部２１５，２２５と嵌合可能な直方体形状の穴を有している。第１及び第２基部材１１，１２が互いに接合されると、凸部２１５が凹部２２６に、凸部２２５が凹部２１６にそれぞれ嵌合する。これにより、第１及び第２基部材１１，１２が容易に互いに分離せず、接合状態が維持される。
【００４２】
凹部２１６，２２６の内部には、第１及び第２基部材１１，１２が離反する方向に付勢する付勢部２１８，２２８が設けられている。付勢部２１８，２２８は、蛇腹状に連続して折り曲げられた金属製の板バネで構成されており、その一端は凹部２１６，２２６が有する穴の奥面に取り付けられている。凸部２１５，２２５が凹部２１６，２２６に完全に嵌合されたとき、凸部２１５，２２５の先端は、凹部２１６，２２６内に折り曲げられた状態で収容されている板バネの他端に当接している。そのため、凸部２１５，２２５の長さは、折り曲げられた状態の板バネの分、凹部２１６，２２６の穴の長さよりも短くなっている。但し、凸部２１５，２２５の長さは、通過空間１１７が男性器先端部の全体を覆う程度の大きさになるまでは凹部２１５，２２５に嵌合されている状態を維持可能な値（例えば、通過空間１１７のＹ１及びＹ２方向における長さが、保持部２０によって形成される楕円の長径と同程度になるまでは、凹部２１５，２２５に嵌合されている状態を維持可能な値）に設定される。これにより、コンドームが男性器先端部の全体を覆うに至るまで、第１及び第２基部材１１，１２が傾斜せずに離反している状態を容易に維持する可能になる。そのため、男性器先端部の全体を覆う前に、誤って環状巻回部２０２が保持部２０から脱落してしまうという事態を回避することができる。
【００４３】
凸部２１５，２２５のＸ１方向側（男性器先端部の通過空間１１７に対する出側）の面の長さ方向中央部には、凸部２１５，２２５の厚みの半分程度の深さを有する溝２１７，２２７が複数形成されている。本実施の形態では、この溝２１７，２２７の断面はＶ字状に形成されているが、特に限定されるものではなく、台形状等、他の形状を採用してもよい。また、その深さも凸部２１５，２２５の厚みの半分程度に限定されず、より長くても短くても構わない。また、その数も複数に限定されず、１つであってもよい。さらに、凸部２１５，２２５のＸ１方向側の面の長さ方向中央部のみではなく、それ以外の部分にも溝２１７，２２７が形成されていてもよく、当該中央部には形成されずにそれ以外の部分のみに形成されていてもよい。後述するように、凸部２１５，２２５が、Ｘ２方向側（男性器先端部の通過空間１１７に対する入側）に折り曲げ可能であれば、溝の断面形状、深さ、数、及び形成される箇所は限定されない。
【００４４】
上述したように構成された装着補助具４００の使用方法について、実施の形態１と異なる部分について詳述する。使用者が、第１及び第２基部材１１，１２を離反させてコンドーム２００を拡張させる際、付勢部２１８，２２８によって、第１及び第２基部材１１，１２が離反する方向に付勢される。この付勢力により、第１及び第２基部材１１，１２を離反させる、その離反させた状態を維持する等の動作を容易に行うことが可能になる。付勢部２１８，２２８の付勢力は、第１及び第２基部材１１，１２が接合されているときにその接合状態を解除するために必要な力よりも小さい値に設定される。これにより、第１及び第２基部材１１，１２の接合状態が意図せず解除されてしまう事態を回避することができる。
【００４５】
実施の形態１の場合と同様に、使用者は、男性器先端部の太さよりもコンドーム２００のＹ１及びＹ２方向長さが長くなるまでコンドーム２００を拡張させる。このとき、図１１及び図１２に示すように、凸部２１５，２２５の一部は、凹部２１６，２２６の穴に嵌合されたままとなっている。これは、上述したように、凸部２１５，２２５の長さが、通過空間１１７が男性器先端部の全体を覆う程度の大きさになるまでは凹部２１５，２２５に嵌合されている状態を維持可能な値に設定されているためである。このように凸部２１５，２２５の一部が凹部２１６，２２６の穴に嵌合された状態において、使用者は、把持した第１及び第２基部材１１，１２を自身に近接するようにＸ２方向へ移動させる。これにより、コンドーム２００の先端側部分２０４によって男性器先端部が覆われる。
【００４６】
次に、使用者は、第１及び第２基部材１１，１２を、それぞれの入側面１１８，１２８が互いに対向するように傾斜させる。このとき、凸部２１５，２２５の先端部分の底部が凹部２１６，２２６の内壁に押し当てられ、凸部２１５，２２５の溝２１７，２２７がＶ字形に広がり、その結果、凸部２１５，２２５がＸ２方向側に折り曲げられる。これにより、この傾斜動作が容易になるとともに、コンドーム２００の先端側部分２０４が男性器先端部を十分に覆った状態で環状巻回部２０２が保持部２０から脱落することになる。そのため、男性器先端部にコンドーム２００を確実に装着することができる。なお、このように凸部２１５，２２５がＸ２方向側に折り曲げられた結果、溝２１７，２２７が形成されている箇所で凸部２１５，２２５が切断されてもよい。
【００４７】
本実施の形態では、第１及び第２基部材１１，１２の両方に付勢部２１８，２２８が設けられているが、何れか一方のみに設けられていてもよい。また、付勢部２１８，２２８は凹部２１６，２２６側に設けられているが、凸部２１５，２２５側に設けられていてもよく、凹部２１６，２２６及び凸部２１５，２２５以外の箇所に設けられていてもよい。その場合、凹部２１６，２２６及び凸部２１５，２２５は設けられていなくても構わない。反対に、凸部２１５，２２５及び凹部２１６，２２６は設けられているものの、付勢部２１８，２２８が設けられていなくてもよい。
【００４８】
また、本実施の形態では、第１及び第２基部材１１，１２のそれぞれに凸部２１５，２２５及び凹部２１６，２２６が設けられているが、何れか一方には凸部のみが、他方には凹部のみがそれぞれ設けられていてもよい。さらに、凸部２１５，２２５の形状は、直方体形状に限定されるわけではなく、円柱、錐体、その他の柱体等、様々な立体形状とすることができる。その場合、凹部２１６，２２６及びその内部に収容される付勢部２１８，２２８は、凸部２１５，２２５の形状に応じた形状をなしていればよい。
【００４９】
また、本実施の形態では、付勢部２１８，２２８が金属製の板バネにより構成されているが、これに限定されるわけではなく、第１及び第２基部材１１，１２が離反する方向に付勢可能であれば他のものを採用することができる。例えば、樹脂製の板バネであってもよい。その他にも、コイルバネ・皿バネ等の他のバネ部材、又は磁石・ゴム等の部材を用いて付勢部２１８，２２８を実現することができる。
【００５０】
また、本実施の形態では、溝２１７，２２７によって凸部２１５，２２５がＸ２方向側に折り曲げられているが、これに限定されるわけではない。例えば、凸部２１５，２２５が可撓性を有する部材で構成されており、それによって凸部２１５，２２５がＸ２方向側に折り曲げ可能となっていてもよい。
【００５１】
（その他の実施の形態）
上記の実施の形態においては、第１及び第２基部材１１，１２の入側面１１８，１２８に保持部２０を設け、この保持部２０を半楕円形の欠落部１１１，１２１の径方向外側へ向かって湾曲しつつＸ２方向に延びる形状としたが、これに限定されるものではない。入側面１１８，１２８を対向させるように第１及び第２基部材１１，１２が傾斜されることによって、保持したコンドームが脱落するものであれば、保持部の構成は問わない。図１３，１４は、保持部の他の構成例を示す側面断面図である。図１３に示す構成例では、保持部２２０が、Ｘ２方向に向かうにしたがって外側へと開くように傾斜した形状を有している。この形状により、第１及び第２基部材２１１，２１２が互いに接合された状態においては、環状巻回部２０２のＸ２方向側に保持部２２０が張り出しており、コンドーム２００の脱落を防止する。その一方で、第１及び第２基部材２１１，２１２が入側面１１８，１２８を対向させるように傾斜されると、保持部２２０が延びる方向とＸ２方向とのなす角度が小さくなり、コンドーム２００が保持部２２０から脱落する。また、上記の実施の形態及び図１３に示した構成例のように、保持部２０，２２０が第１及び第２基部材１１，１２，２１１，２１２の入側面１１８，１２８から入側の方向（Ｘ２方向）に延設されていなくてもよい。図１４に示す構成例では、第１及び第２基部材３１１，３１２の入側面１１８，１２８に溝３１３が形成されており、この溝３１３の内側側面を保持部３２０とする。保持部３２０は、Ｘ２方向に向かうにしたがって外側に開くように傾斜した面である。この形状により、第１及び第２基部材３１１，３１２が互いに接合された状態においては、傾斜面である保持部３２０が環状巻回部２０２のＸ２方向側に張り出しており、コンドーム２００の脱落を防止する。その一方で、第１及び第２基部材３１１，３１２が入側面１１８，１２８を対向させるように傾斜されると、保持部３２０の傾斜方向とＸ２方向とのなす角度が小さくなり、コンドーム２００が保持部３２０から脱落する。
【００５２】
また、欠落部１１１，１２１に沿って設けられた保持部の全てを湾曲又は傾斜させるのではなく、直線状にＸ２方向に延ばした部分を設けてもよい。例えば、保持部の両端部分をＸ２方向へ直線状に延ばした部分とし、それ以外の部分を欠落部１１１，１２１の径方向外側へ向かって湾曲又は傾斜させることができる。また、欠落部１１１，１２１の全体に沿って保持部を設けるのではなく、欠落部１１１，１２１に沿って部分的に保持部を設けてもよい。例えば、欠落部１１１，１２１の両端部分には保持部を設けず、欠落部１１１，１２１の両端を除く部分に沿って楕円弧状の保持部を設けることができる。また、欠落部１１１に沿った複数の部分に保持部を設け、欠落部１２１に沿った複数の部分に保持部を設け、これらの保持部によって環状巻回部２０２の複数箇所を保持する構成とすることもできる。かかる保持部の形状は、保持する対象の環状巻回部２０２の大きさ及び弾性力等に応じて適宜決定できる。
【００５３】
また、上記の実施の形態においては、第１及び第２基部材１１，１２のそれぞれに半楕円形の欠落部１１１，１２１を設け、第１及び第２基部材１１，１２を互いに接合させた状態において欠落部１１１，１２１が連結されて１つの楕円形の開口１１３を形成する構成について述べたが、これに限定されるものではない。欠落部の形状は、半楕円形以外の半環状であってもよい。例えば、欠落部を半円形とし、第１及び第２基部材１１，１２を互いに接合させると円形の開口を形成してもよいし、欠落部をＺ１方向に延びる辺を長辺、Ｙ１方向に延びる辺を短辺とする長方形とし、第１及び第２基部材１１，１２を互いに接合させるとＺ１方向の辺の長さは変化せず、Ｙ１方向の辺の長さが２倍となった四角形の開口を形成してもよい。また、第１及び第２基部材１１，１２に欠落部を設けない構成とすることもできる。この場合、第１及び第２基部材１１，１２を離反させたとき、それぞれの接合面の間の空間が通過空間となる。
【００５４】
また、上記の実施の形態においては、保持部２０を欠落部１１１，１２１の外周に沿って設けた構成について述べたが、これに限定されるものではない。保持部２０を欠落部１１１，１２１の外周よりも外側に設けることもできる。また、第１及び第２基部材１１，１２に欠落部を設けない場合、入側面１１８，１２８のそれぞれに保持部２０が設けられていれば、その形状は問わない。
【産業上の利用可能性】
【００５５】
本発明のコンドームの装着補助具及び装着補助具付コンドームは、コンドームの装着時に使用される装着補助具及びこの装着補助具が取り付けられた装着補助具付コンドームとして有用である。
【符号の説明】
【００５６】
１００，４００  装着補助具
１１  第１基部材
１２  第２基部材
２０  保持部
３０  帯状部材
１１１，１２１  欠落部
１１２，１２２  接合面
１１３  開口
１１７  通過空間
１１８，１２８  入側面
２００  コンドーム
２０２  環状巻回部
２１５，２２５  凸部
２１６，２２６  凹部
２１７，２２７  溝
２１８，２２８  付勢部
３００  男性器
３０２  先端部
３０３  軸部
【図１】
2018102896.tif 000003
【図２】
2018102896.tif 000004
【図３】
2018102896.tif 000005
【図４】
2018102896.tif 000006
【図５】
2018102896.tif 000007
【図６】
2018102896.tif 000008
【図７】
2018102896.tif 000009
【図８】
2018102896.tif 000010
【図９Ａ】
2018102896.tif 000011
【図９Ｂ】
2018102896.tif 000012
【図９Ｃ】
2018102896.tif 000013
【図９Ｄ】
2018102896.tif 000014
【図９Ｅ】
2018102896.tif 000015
【図９Ｆ】
2018102896.tif 000016
【図１０】
2018102896.tif 000017
【図１１】
2018102896.tif 000018
【図１２】
2018102896.tif 000019
【図１３】
2018102896.tif 000020
【図１４】
2018102896.tif 000021